(57)【要約】【課題】種々の形状を有する導体に共通して適用することができ、しかも、着脱式の操作絶縁棒により確実かつ強固に固定することが可能な短絡接地器具の電路側接続具を提供し、短絡接地器具の設置作業の容易化を図る。【解決手段】角度が可変状態で固定できる頭部部材１に固定アーム１１を一体に形成するとともに、可動アーム２を頭部部材１の回動可能に取り付ける。可動アーム２の先端には接触部材２０を回動可能に設け、可動アーム２を操作ロッド４により押し上げ、固定アーム１１と接触部材２０との間に電路の導体を挟み込んで把持する。接触部材２０は種々の導体の形状に応じて回動し、電路側接続具は導体に強固に固定される。電路側接続具の端部に回転軸５を配置し、これを着脱可能な操作絶縁棒で回転させることにより、可動アーム２を回動させ、電路側接続具を導体に把持し固定する。【選択図】  図１
2006340456.tif 000002
【特許請求の範囲】
【請求項１】
短絡用ケーブルが接続され、電路に取り付けてその電路の短絡接地を行う短絡接地器具の電路側接続具であって、
前記電路側接続具は、直線状の接触面を有する固定アームを一体に形成した頭部部材と、前記頭部部材に回動可能に設けられた可動アームとを備え、
前記可動アームの先端には、直線状の接触面を有する接触部材を前記可動アームに対して回動可能に設け、
前記頭部部材に連結された操作機構により前記可動アームを回動させ、電路の導体を前記固定アームと前記接触部材との間に挟み込んで把持することを特徴とする短絡接地器具の電路側接続具。
【請求項２】
前記可動アームはカム面を有するとともに、前記操作機構は、前記カム面に接触する操作ロッドを備えており、前記操作ロッドで前記カム面を押圧することにより前記可動アームを回動させる請求項１に記載の短絡接地器具の電路側接続具。
【請求項３】
前記頭部部材は、前記操作ロッドの軸線周りの角度位置が可変であるとともに、前記軸線と直交する軸線周りにも角度位置が可変であるよう固定可能に構成された請求項２に記載の短絡接地器具の電路側接続具。
【請求項４】
前記操作機構の端部には、操作絶縁棒の先端部が係合する回転軸が配置され、操作絶縁棒により前記回転軸を回転させて前記操作ロッドを移動させる請求項２又は請求項３に記載の短絡接地器具の電路側接続具。
【請求項５】
前記操作機構の前記操作ロッドと前記回転軸との間には曲がり部が設けられており、前記操作ロッドの軸線と前記回転軸の軸線とは一定の角度で交わるよう構成された請求項４に記載の短絡接地器具の電路側接続具。
【請求項６】
前記曲がり部は、曲がり管とその曲がり管内に配置された複数のボールにより構成されており、前記回転軸を回転させ、前記ボールを介して前記操作ロッドを移動させる請求項５に記載の短絡接地器具の電路側接続具。
【請求項７】
前記曲がり管内に配置された前記ボールは、前記曲がり管の内径より小さい直径を有し、前記曲がり管の内壁と前記ボールとの間には間隙が存在する請求項６に記載の短絡接地器具の電路側接続具。
【発明の詳細な説明】
【技術分野】
【０００１】
本発明は、電路を無充電として電気工事あるいは電力設備の点検等を実施する際に、作業者の安全等を目的として無充電の電路を短絡接地するための短絡接地器具に関する。
【背景技術】
【０００２】
変電所から電力を工場等の需要先に配電する電路に、別の需要先へ配電するための新たな電路を敷設し接続する電気工事は、変電所側の開閉器及び需要先の開閉器を開路し電路を無充電とした条件で行われる。このような電気工事では、工事作業者の安全は最優先に配慮すべき事項であり、電路に誤充電が生じないよう十分な注意が払われる。そして、万が一、誤通電や誘導電流の発生により電路に充電が起きたとしても、工事作業者が感電したり、設備が破損することのないように、電路の両端に短絡接地器具を取り付けて工事中電路を接地する。短絡接地器具の取り付けは、労働安全関係の法規で定められており、電路を無充電として実施する電気工事や電力設備の点検において行われるものである。
【０００３】
短絡接地器具は、無充電とした電路の電線等の導体に取り付け固定する電路側接続具と、地中に埋め込んだ接地極に接続する接地側接続具と、両者の間を接続する短絡用ケーブルとから構成される。電路側接続具及び接地側接続具は、工事中の振動などによって外れることを防止するよう、対象の電線等に強固に固定しなければならない。
ところで、電路側接続具を取り付ける対象となる導体には、電線等の断面円形のものあるいはキューピクル内に収容された平板状の導体等、さまざまな形態のものがある。また、工場等の需要先の受電設備にも多様な設備があり、電路側接続具を固定する個所の位置や周囲状況は、個々の受電設備に応じて異なるものとなっている。
【０００４】
電路側接続具の導体への取り付けは、開路した開閉器の近傍で行う作業となる。電路側接続具の取り付け時は、電路を無充電とした状態で作業を行うが、万一、充電されている状況の場合の感電被災を防止するため、取り付け作業は、操作絶縁棒と呼ばれる操作用具を使用し作業者との間に一定の距離を保った状態で行われる。このように、電気工事の開始時における短絡接地器具の取り付けは、慎重さを要する複雑かつ困難な作業であり、確実な取り付けを容易に行うため、電路側接続具として種々の構造の接続具が開発されている。
【０００５】
特開２００２−１５２９３５号公報には、キューピクル内の板状の導体に取り付けるために適した電路側接続具が開示されている。この電路側接続具は、図６に示されるとおり、板状の導体１０１を幅方向に挟み込む一対の挟持部１０２を備えており、挟持部には導体の側部が接触する凹部１０３が形成されるとともに、一方の挟持部には地中の接地極に接続される短絡用ケーブル１０４が固着される。両方の挟時部１０２はリンク機構１０５によってねじ部１０６に連結され、ねじ部１０６の進退に応じて一対の挟持部１０２の先端は開閉する。電路側接続具を導体に取り付けるときは、図示しない操作絶縁棒を挿入案内部１０７に挿入してねじ部１０６を回転させる。ねじ部１０６が延びるとリンク機構１０５で連結された一対の挟持部１０２が閉じるようになり、その凹部１０３の間に導体１０１が挟まれ、電路側接続具は導体１０１に固定される。
【０００６】
また、特開平７−１２３５５２号公報には、電線等断面円形の導体に取り付ける電路側接続具が開示されている。図７に示されるように、この電路側接続具は、円形の電線２０１を受け具２０２と押さえ部材との間に挟み込むものであって、受け具２０２には電線２０１が係合する凹部が形成されている。押さえ部材は、上方回転軸２０３を中心に回動する上側押さえ部材２０４と下方回転軸２０５を中心に回動する下側押さえ部材２０６とが、ともに受け具２０２に設けられており、上側押さえ部材２０４の先端部は二股となっている。操作棒２０７を回してねじ部２０８を回転させることにより、上側押さえ部材２０４は反時計方向に回動し、電線２０１を凹部に収容するように受け具２０２に押し付ける。これと同時に、下側押さえ部材２０６は時計方向に回動して上側押さえ部材２０４の二股の先端に入り込み、挟み込んだ電線２０１が抜け落ちるのを防止する。
【特許文献１】特開２００２−１５２９３５号公報
【特許文献２】特開平７−１２３５５２号公報
【発明の開示】
【発明が解決しようとする課題】
【０００７】
短絡接地器具を取り付ける電路の導体には、前述したとおり、板状のものや円形のもの等、種々の形状の導体があり、電路の公称電圧等に応じその寸法もまちまちである。さらに、需要先の受電設備の状況あるいは周囲環境にも多種多様なものがあり、障害物の存在により電路側接続具の取り付け方向が制約される場合もある。このため、短絡接地器具の電路側接続具としては、特許文献１に記載の板状の導体に適するもの又は特許文献２に記載の断面円形の導体に適するもの等、多数の接続具を準備しておく必要があるとともに、電気工事に際しては、使用可能な電路側接続具について予め変電所及び受電設備の調査確認作業を要するのが現実であった。
【０００８】
また、電路側接続具の取り付けは、短絡接地器具を取り付ける電路が万一充電されている場合などの不測の感電事故を防止するため、操作絶縁棒を用い一定の距離を隔てて行われる。電路側接続具の取り付けが終了した後は、工事の障害にならぬよう長尺の操作絶縁棒を取り外すことが望ましく、操作絶縁棒は着脱可能であるものが一般的である。したがって、電路側接続具を強固に取り付けるには、取り付け作業時に操作絶縁棒と電路側接続具とを確実に接続し固定しなければならない。そして、取り付けは遠隔操作による作業となることから、取り付ける対象である導体を随時目視できる状態で作業を実施することも必要である。
本発明は、短絡接地器具の電路側接続具に関して、種々の形状を有する導体に共通して適用することができ、しかも、着脱式の操作絶縁棒により確実かつ強固に固定することが可能な電路側接続具を提供し、多数の接続具を用意し保守管理を行う等の必要性を回避して、安全な電気工事のために不可欠な、短絡接地器具の設置作業の容易化を図ることを課題とする。
【課題を解決するための手段】
【０００９】
上記の課題に鑑み、本発明は、短絡接地器具の電路側接続具において、固定アームと可動アームとを設けて電線等の導体を挟み込み、可動アームの先端には、可動アームに対して回動可能な接触部材を取り付け、導体を固定アームと接触部材とに接触させて把持することにより、板状の導体や円形の導体を把持することを可能としたものである。すなわち、本発明は、
「短絡用ケーブルが接続され、電路に取り付けてその電路の短絡接地を行う短絡接地器具の電路側接続具であって、
前記電路側接続具は、直線状の接触面を有する固定アームを一体に形成した頭部部材と、前記頭部部材に回動可能に設けられた可動アームとを備え、
前記可動アームの先端には、直線状の接触面を有する接触部材を前記可動アームに対して回動可能に設け、
前記頭部部材に連結された操作機構により前記可動アームを回動させ、電路の導体を前記固定アームと前記接触部材との間に挟み込んで把持する」
ことを特徴とする短絡接地器具の電路側接続具となっている。
【００１０】
請求項２に記載のように、前記可動アームにはカム面を形成するとともに、前記操作機構には、前記カム面に接触する操作ロッドを配置し、前記操作ロッドで前記カム面を押圧することにより前記可動アームを回動させることができる。
【００１１】
この場合において、請求項３に記載のように、前記頭部部材は、前記操作ロッドの軸線周りの角度位置が可変であるとともに、前記軸線と直交する軸線周りにも角度位置が可変であるよう固定可能に構成されていることが好ましい。
【００１２】
電路側接続具の取り付け及び取り外しのため、請求項４に記載のように、前記操作機構の端部には、操作絶縁棒の先端部が係合する回転軸を配置し、操作絶縁棒により前記回転軸を回転させて前記操作ロッドを移動させることができる。
【００１３】
請求項５に記載のように、前記操作機構の前記操作ロッドと前記回転軸との間に曲がり部を設け、前記操作ロッドの軸線と前記回転軸の軸線とは一定の角度で交わるよう構成することが望ましい。
【００１４】
請求項６に記載のように、前記曲がり部を、曲がり管とその曲がり管内に配置された複数のボールにより構成し、前記回転軸を回転させ、前記ボールを介して前記操作ロッドを移動させるようにすることができる。この場合は、請求項７に記載のように、前記曲がり管内に配置された前記ボールは、前記曲がり管の内径より小さい直径を有するものを配置し、前記曲がり管の内壁と前記ボールとの間に間隙を存在させることが好ましい。
【発明の効果】
【００１５】
本発明の短絡接地器具の電路側接続具は、導体を挟み込んで把持するため、固定アームを一体に形成した頭部部材と、この頭部部材に回動可能に設けられた可動アームとを備えており、可動アームの先端には、接触部材が回動可能に設けられている。固定アーム及び接触部材には、それぞれ直線状の接触面が形成してあり、電線等の断面円形の導体を把持するときは、接触部材は可動アームに沿った状態で可動アームと一体となって操作機構により回動される。これにより、円形の導体は、その上部が固定アームの接触面に、下部が接触部材の接触面に押し付けられ、さらに側部が頭部部材の側面に押し付けられて、電路側接続具に強固に把持される。円形の導体を挟み込むときには、固定アームと接触部材とは先細りの状態となるため、導体が電路側接続具から抜け落ちることはない。
【００１６】
また、比較的薄い板状の導体を把持する場合は、操作機構で可動アームを回動したときには、接触部材は、始めは可動アームに沿った状態で動くが、接触部材の先端が板状の導体に当接すると可動アームに対して回動する。さらに可動アームを回動すると接触部材はその先端部を中心として回動するようになり、遂にはその接触面が全面に亘り板状の導体に当接する状態となる。したがって、板状の導体は固定アームと接触部材の接触面の間に強く締め付けられ、接触面の全体に作用する摩擦力により確実に把持されることとなる。このように、本発明の電路側接続具は、固定する導体の形状や寸法を問わず、これに対して強固に固定することが可能である。
【００１７】
請求項２の発明のように、可動アームにカム面を形成し、操作機構に設けた操作ロッドでカム面を押圧することにより可動アームを回動させると、操作ロッドとカム面との間が直接連結されておらず、導体を把持する頭部部材に対する操作機構の相対的位置が自由に設定できるようになる。さらに、カム面の形状を変更することにより、操作ロッドのストロークに対する可動アームの動きの量を変えることができる。
【００１８】
請求項２の発明では、導体を把持する頭部部材に対する操作機構の相対的位置が自由に設定できるから、請求項３の発明のように、頭部部材を、操作ロッドの軸線周りの角度位置が可変であるとともに、その軸線と直交する軸線周りにも角度位置が可変であるよう固定可能に構成することができる。このため、頭部部材を操作する操作機構の方向を、把持する導体の周囲に存在する障害物を避ける方向あるいは導体の把持状態を目視しながら作業のできる方向に設定することができる。
【００１９】
電路側接続具の取り付け作業では、もちろん、感電事故を防止する必要がある。請求項４の発明のように、操作機構の端部に回転軸を配置し、操作絶縁棒によりその回転軸を回転させて操作ロッドを移動させるときは、操作絶縁棒を用いて遠隔操作することで導体との距離が確保され、作業の安全性が向上する。
【００２０】
請求項５の発明のように、操作機構の操作ロッドと前記の回転軸との間に曲がり部を設けたときは、操作絶縁棒の脇の個所で導体への取り付けが行われることとなり、操作絶縁棒が視界の障害となることはなく、作業個所を目視しながら取り付け作業を実施できる。
【００２１】
請求項６の発明のように、前記の曲がり部を、曲がり管とその曲がり管内に配置された複数のボールにより構成し、そのボールを介して操作ロッドを移動させるようにしたときは、曲がり部の角度等にかかわらず、導体を把持するための操作力を操作絶縁棒から操作ロッドに確実に伝達することができる。この場合において、請求項７の発明のように、曲がり管内に配置されたボールの直径を曲がり管の内径より小さくすると、複数のボールは曲がり管の中心軸と外れた点で相互に接触する。そのため、前記の回転軸を回転させボールに力を加えると、ボールの接触部には中心軸の軸方向の力のみならず曲がり管の径方向にも分力が生じ、曲がり管及びボールは多少弾性変形を起こす。この弾性変形とボールの接触部に働く摩擦によって、導体を把持する部分の緩みを防止できる。つまり、導体を把持した可動アームが少量移動したとしても、弾性変形のばね作用と摩擦力により可動アームに作用する力を保持することが可能である。
【発明を実施するための最良の形態】
【００２２】
以下、図面によって本発明の短絡接地器具について説明する。図１は本発明の短絡接地器具の電路側接続具を全体的に表す図であり、図２には、無充電とした電路の導体を把持する部分である頭部部材付近の詳細図を示す。図３は、導体を把持したときの可動アーム等の作動状態を示す図である。
【００２３】
本発明の電路側接続具の先端には、図１〜図３に示されるように、導体を把持する頭部部材１が配置され、この頭部部材１には軸部１０から直角方向に伸びる固定アーム１１が一体に形成されている。また、頭部部材１には可動アーム２が取り付けられ、可動アーム２は頭部部材１に固定されたアーム支持軸１２を中心として回動可能となっている。可動アーム２を回動させるため、全体を符号３で示す操作機構が頭部部材１に連結される。この操作機構３の一端には可動アーム２と接触してこれを回動させる操作ロッド４が配置され、他端には後述する操作絶縁棒９により回転される回転軸５が配置されている。操作機構３の中間部には直角に曲がる曲がり管６が置かれ、この曲がり管６は操作機構３の曲がり部を構成する。
【００２４】
固定アーム１１の下面は、把持する導体に接触する直線状の接触面を形成するとともに、頭部部材１の上部には、短絡用ケーブルを固定し抑えるためボルト１３が設けてある。頭部部材１の軸部１０は、図２の左側の側面図に示されるとおり、二股に分かれ、その中央の空間部に可動アーム２が回動可能に配置される。可動アーム２の根元部は、頭部部材１の膨出した部分に固定されたアーム支持軸１２に軸支されており、また、可動アーム２は、頭部部材１との間に設けられたコイルばね７によって、図２の右側の図において反時計方向に回動するよう付勢されている。
【００２５】
可動アーム２の先端には、接触部材２０が回動可能に設置される。接触部材２０は、図２の左側の図に示される断面から分かるように、導体に接触する直線状の接触面の両側に側面部が設けられた形状であり、その側面部が可動アーム２の先端部の支持軸２１に回動可能にはめ込まれる。支持軸２１には線細工ばね２２が取り付けてあり、接触部材２０はこの線細工ばね２２によって時計方向に回動するよう付勢される。
【００２６】
頭部部材１は、内面に内ねじが形成されたねじ孔１４を有する頭部軸１５に回動可能に取り付けられ、可動アーム２及び接触部材２０が設けられた頭部部材１は、いわば首振り運動が可能となっている（図１の右側の図を参照）。そのため、図２の左側の側面図に示されるように、頭部軸１５の上部は二股に分かれており、ここに頭部部材１の二股の軸部１０が挿入され、軸部１０が軸線１６を中心に回動可能なように軸支される。頭部軸１５の二股部の一方には締め付けボルト１７が置かれ、これにより。頭部部材１を頭部軸１５に任意の角度を持たせて固定することができる。
【００２７】
頭部軸１５のねじ孔１４には、中空の継手８の上部のねじ部が嵌合し、継手８には操作ロッド４が挿入されている。操作ロッド４の上端は球面をなしており、操作ロッド４が押し上げられたときに、頭部軸１５を貫通して可動アーム２の下面のカム面２３に接触する。
操作ロッド４の下端部は、やはり球面をなしており、曲がり管６内に配置されたボール６１に接触する。継手８と操作ロッド４との間にはコイルばね８１が配置してあり、操作ロッド４には下向きのばね力が加えられている。この継手８は、外側にはめ込まれたナット８２により曲がり管６のフランジ上面に、軸線周りには任意の角度で締め付け固定することができる。このため、曲がり管６の上部フランジの外周面には、ナット８２の内ねじと嵌合するねじが形成されている。
【００２８】
ここで、操作ロッド４を移動させるための操作機構３における駆動部分の構成について、駆動部分の分解図である図４も参照しながら説明する。
図１に示されるように、操作機構３の中間に置かれた曲がり管６内に配置された複数のボール６１は、曲がり管６の内径よりも小さな直径を有し、ボール６１と曲がり管６の内壁との間には間隙が形成される。曲がり管６内の、操作ロッド４と反対側のボール６１には、駆動軸３１の端部の球面が当接してボール６１を押圧する。この部分の曲がり管６のフランジ外周には、駆動軸３１を収容する円筒形の駆動軸ハウジング３２がねじ止めされている。
【００２９】
駆動軸３１は、図４から明らかなように、ねじ孔３３を設けた大径部を有し、大径部の外周には直線状の溝３４が設けられている。溝３４にはボール３５がはめ込まれ、このボール３５は駆動軸ハウジング３２の孔にもはまり込んでおり、駆動軸３１の回転を防止して軸方向に移動するよう案内する。駆動軸３１のねじ孔３３の内ねじには回転軸５の外ねじがはまり込み、両方のねじはいわゆる送りねじ機構を構成する。回転軸５の端部には、操作絶縁棒９の断面多角形の頭部９１が嵌合する多角形孔５１が設けてあり、また、回転軸５の軸方向位置は、駆動軸ハウジング３２に固定された蓋体３６をベアリング３７で挟み込むことにより規定される。
【００３０】
図５には、本発明の短絡接地器具の電路側接続具を固定する際に用いる操作絶縁棒９を示す。操作絶縁棒９は、絶縁体である例えばＦＲＰで製造された、内管９２及び外管９３を備えた二重管構造を有しており、外管９３は内管９２に対し一定の範囲でスライド可能となっている。内管９２の先端には断面多角形の頭部９１が設けられ、電路側接続具の回転軸５に形成された多角形孔５１にはまり込む。そして、外管９３の先端には内ねじ９４を形成した継手部９５が設けられ、操作時には、駆動軸ハウジング３２の外周に形成されたねじ３８にはまり込んで、操作絶縁棒９が電路側接続具に固定される。外管９３及び内管９２の、作業者が手で保持する部分は、絶縁性をさらに増すよう絶縁ゴムでカバーされている。
【００３１】
次いで、本発明の短絡接地器具を取り付けるための作業手順について説明する。実際の取り付け作業では、無充電の電路に電路側接続具を取り付けるのに先立ち、短絡用ケーブルの先端に固着した接地側接続具を地中に埋め込んだ接地極に接続する。この接続が確実になされていないと感電事故を起こす虞れがあるから、ここでは図示を省略するが、電路側接続具と接地側接続具とは通常時には取り外しができない短い鎖で連結され、相互にロックが行われている。接地側接続具を接地極の導体に固定すると、その導体に押圧されてロックが外れ、離れた場所に存在する導体に電路側接続具を取り付けることができるようになる。
【００３２】
電路側接続具の取り付け作業では、取り付ける対象の導体の形状や周囲の障害物の状況等に応じて、まず、固定アーム１１及び可動アーム２等の方向を設定する。本発明の電路側接続具においては、頭部部材１は首振り運動が可能であるとともに軸線周りにも自由な角度で固定可能であるから、取り付けのために好適な向きに頭部部材１を容易に設定することができる。こうして頭部部材の方向を設定した後は、締め付けボルト１７及びナット３２により頭部部材１を締め付け固定する。
【００３３】
そして、操作絶縁棒９の内管９２の頭部９１を回転軸５の端部に嵌め合わせ、外管９３のねじ部を駆動軸ハウジング３２にねじ止めして、操作絶縁棒９を電路側接続具に連結する。この状態で、開路された電路の導体に接近して導体を固定アーム１０及び接触部材２０との間に挿入し、操作絶縁棒９の内管９２を回して回転軸５を回転させる。回転軸５を回転させると、送りねじ機構により駆動軸３１は軸方向に移動し、曲がり管６内のボール６１を介して操作ロッド４を押し上げる。操作ロッド４は可動アーム２を回動させ接触部材２０を上方に移動させて、固定アーム１０と接触部材２０との間に導体を挟み込み、導体は強固に固定される。このとき、図３に示すとおり、導体（２点鎖線で表す）が断面円形のものであれば図３（ａ）の状態となり、また、板状のものであれば図３（ｂ）の状態となって、種々の形状の導体を確実に把持することができる。
取り付け作業が終わると、操作絶縁棒９の外管９３を逆方向に回転し、ねじによる結合を解いて、操作絶縁棒９を電路側接続具から取り外す。
【００３４】
本発明の電路側接続具に曲がり管６が存在するので、操作絶縁棒９が作業者の視界を妨げることはなく、作業者は取り付ける導体を目視しながら作業を実施できる。また、導体を強固に締め付けると、曲がり管６及びボール６１は多少弾性変形するのでこの部分にばね作用が生じ、締め付けの緩みを防止することができる。
【００３５】
電気工事が終了すると、導体に固定した電路側接続具を取り外す必要がある。この取り外し作業も操作絶縁棒９を使用して行うため、操作絶縁棒９を電路側接続具に再度連結しなければならない。このとき、本発明の電路側接続具を操作する操作絶縁棒９は二重管になっているので、まず、内管９２を突出させその頭部９１を回転軸５の多角形孔５１にはめ込む。この状態で外管９３をスライドさせると、外管９３は内管９２にガイドされて、そのねじ部９４が駆動軸ハウジング３２のねじ部３８の位置に自動的に整合するようになり、容易に両方のねじを結合することができる。
【００３６】
以上詳述したように、本発明の短絡接地器具の電路側接続具は、固定アームと可動アームとを設け、可動アームの先端には回動可能な接触部材を取り付けて、導体を固定アームと接触部材とに接触させて把持するものであり、さらに、これらの取り付け方向を可変として各種の形状の導体を確実に把持し固定することを可能としたものである。したがって、固定アームや可動アーム等の寸法を変えることにより様々の電圧階級の設備に使用することができるのは明らかである。また、上記の実施例では二重管式の操作絶縁棒を用いてこれを操作しているが、場合によっては、別の形態の操作絶縁棒を用いることも可能である。
【図面の簡単な説明】
【００３７】
【図１】本発明の短絡接地器具における電路側接続具の全体図及び頭部部材の固定角            度を変更した図である。
【図２】本発明の電路側接続具における頭部部材付近の詳細図である。
【図３】本発明の頭部部材により導体を把持した状態を示す図である。
【図４】本発明の電路側接続具における操作機構の分解図である。
【図５】本発明の電路側接続具の着脱に用いる操作絶縁棒を示す図である。
【図６】従来の短絡接地器具における電路側接続具の一例を示す図である。
【図７】従来の短絡接地器具における電路側接続具の別の例を示す図である。
【符号の説明】
【００３８】
１  頭部部材
１１  固定アーム
２  可動アーム
２０  接触部材
２２  線細工ばね
２３  カム面
３  操作機構
３１  駆動軸
３２  駆動軸ハウジング
４  操作ロッド
５  回転軸
６  曲がり管
６１  ボール
７  コイルばね
８  継手
８２  ナット
９  操作絶縁棒
【図１】
2006340456.tif 000003
【図２】
2006340456.tif 000004
【図３】
2006340456.tif 000005
【図４】
2006340456.tif 000006
【図５】
2006340456.tif 000007
【図６】
2006340456.tif 000008
【図７】
2006340456.tif 000009